(57)【要約】【課題】オートフォーカス時の適正な露出制御が可能な撮影装置及び露出制御方法を提供する。【解決手段】撮影装置（１００）は、被写体の第１輝度を測定する測光部（１６）と、前記第１輝度がオートフォーカスを行うために不十分な輝度の場合、前記被写体に対して補助光を発光する補助光発光部（３０）と、前記オートフォーカスを行うための露出制御を行う制御部（１０）と、を備え、前記測光部（１６）は、前記補助光が照射された後の前記被写体の第２輝度を測定し、前記制御部（１０）は、前記第２輝度に対して前記補助光の種類に応じた補正量を加えた値を第３輝度とし、前記第３輝度に基づいてオートフォーカス用の露出制御を行うこと、を特徴とする。【選択図】図３
2013061545.tif 000002
【特許請求の範囲】
【請求項１】
被写体の第１輝度を測定する測光部と、
前記第１輝度がオートフォーカスを行うために不十分な輝度の場合、前記被写体に対して補助光を発光する補助光発光部と、
前記オートフォーカスを行うための露出制御を行う制御部と、を備え、
前記測光部は、前記補助光が照射された後の前記被写体の第２輝度を測定し、
前記制御部は、前記第２輝度に対して前記補助光の種類に応じた補正量を加えた値を第３輝度とし、前記第３輝度に基づいてオートフォーカス用の露出制御を行うこと、を特徴とする撮影装置。
【請求項２】
請求項１に記載の撮影装置であって、
色温度によって、前記補助光の種類が異なること、を特徴とする撮影装置。
【請求項３】
被写体の第１輝度を測定し、
前記第１輝度がオートフォーカスを行うために不十分な輝度の場合、前記被写体に対して補助光を発光し、
前記補助光が照射された後の前記被写体の第２輝度を測定し、
前記第２輝度に対して前記補助光の色の種類に応じた補正量を加えた値を第３輝度とし、前記第３輝度に基づいてオートフォーカス用の露出制御を行うこと、を特徴とする、オートフォーカス用の露出制御方法。
【発明の詳細な説明】
【技術分野】
【０００１】
本発明は、撮影装置及び露出制御方法に関するものである。
【背景技術】
【０００２】
カメラ等の撮影装置において、例えば、暗い被写体に対して合焦させる場合、ＡＦ（オートフォーカス）補助光を発光させるものがある（例えば、特許文献１参照）。
【先行技術文献】
【特許文献】
【０００３】
【特許文献１】特開２００１−０５１１８５号公報
【発明の概要】
【発明が解決しようとする課題】
【０００４】
しかし、ＡＦ補助光は、太陽光等の環境光と異なる波長を有する光である。このような波長のＡＦ補助光が照射されると、実際の被写体とＲＧＢ（赤色、緑色、青色）のバランスが異なるものとなる。その場合、ＡＦ補助光が照射された被写体に基づいて露出制御を行うと、露出制御が実際の被写体にそぐわない可能性がある。
【０００５】
本発明の課題は、オートフォーカス時の適正な露出制御が可能な撮影装置及び露出制御方法を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体の第１輝度を測定する測光部（１６）と、前記第１輝度がオートフォーカスを行うために不十分な輝度の場合、前記被写体に対して補助光を発光する補助光発光部（３０）と、前記オートフォーカスを行うための露出制御を行う制御部（１０）と、を備え、前記測光部（１６）は、前記補助光が照射された後の前記被写体の第２輝度を測定し、前記制御部（１０）は、前記第２輝度に対して前記補助光の種類に応じた補正量を加えた値を第３輝度とし、前記第３輝度に基づいてオートフォーカス用の露出制御を行うこと、を特徴とする撮影装置（１００）である。
請求項２に記載の発明は、請求項１に記載の撮影装置（１００）であって、色温度によって、前記補助光の種類が異なること、を特徴とする撮影装置（１００）である。
請求項３に記載の発明は、被写体の第１輝度を測定し、前記第１輝度がオートフォーカスを行うために不十分な輝度の場合、前記被写体に対して補助光を発光し、前記補助光が照射された後の前記被写体の第２輝度を測定し、前記第２輝度に対して前記補助光の波長に応じた補正量を加えた値を第３輝度とし、前記第３輝度に基づいてオートフォーカス用の露出制御を行うこと、を特徴とする、オートフォーカス用の露出制御方法である。
なお、符号を付して説明した構成は、適宜改良してもよく、また、少なくとも一部を他の構成物に代替してもよい。
【発明の効果】
【０００８】
本発明によれば、オートフォーカス時の適正な露出制御が可能な撮影装置及び露出制御方法を提供することができる。
【図面の簡単な説明】
【０００９】
【図１】実施形態のカメラの構成を示す図である。
【図２】実施形態のカメラの機能ブロック図である。
【図３】ＡＦの際の露出制御のフローチャートである。
【発明を実施するための形態】
【００１０】
以下に本発明の実施形態を説明する。
図１は、本実施形態のカメラ１００の構成を示す図である。
カメラ１００はカメラ本体１と、レンズユニット２から構成される。ここで、レンズユニット２はカメラ本体１に対して交換可能に装着される。またレンズユニット２は撮影レンズ３と撮影レンズ３を駆動するモータ４およびレンズユニットの情報を記録したレンズ内メモリ１８を含む。
【００１１】
カメラ本体１は、メインミラー５と、サブミラー６と、フォーカルプレーンシャッター８と、被写体像を光電変換する第１撮像センサ９と、ファインダ光学系２０と、被写体像を光電変換する第２撮像センサ１６と、焦点検出ユニット７と、制御部１０と、手振れセンサ１７（例、角速度センサ）と、表示ユニット１９と、ＡＦ補助光発生部３０と、を有している。
【００１２】
メインミラー５、サブミラー６、フォーカルプレーンシャッター８および第１撮像センサ９は、撮影レンズ３の光軸に沿って配置され、ファインダ光学系２０はメインミラー５の上部領域に、焦点検出ユニット７はサブミラー６の下部領域に配置されている。
【００１３】
ここで、撮影者がファインダ光学系２０を通して被写界を観察する時、つまり静止画撮影およびライブビュー以外の時は、メインミラー５は、撮影レンズ３から第１撮像センサ９までの撮影光路と交差し、撮影レンズ３を通過した光束を上方に反射させてファインダ光学系２０に導くようになっている（実線の位置）。
一方、ライブビュー時および静止画撮影時はメインミラー５は上方に跳ね上げられ、撮影レンズ３を通過した光束はフォーカルプレーンシャッター８および第１撮像センサ９に導かれ、第１撮像センサ９の画像信号に基づいて被写体の撮影画像データを生成することができる（点線の位置）。
【００１４】
また、メインミラー５の中央部は光を透過するハーフミラーとなっていて、非撮影時のメインミラー５を透過した一部の光束はサブミラー６によって下方に反射され、焦点検出ユニット７に導かれるようになっている。
【００１５】
ファインダ光学系２０は、拡散スクリーン１１と、コンデンサレンズ１２と、ペンタプリズム１３と、接眼レンズ１４と、再結像レンズ１５を有している。
【００１６】
拡散スクリーン１１はメインミラー５の上方に配置され、実線の位置でのメインミラー５が反射した光束を一旦結像させる。拡散スクリーン１１で結像した光束はコンデンサレンズ１２およびペンタプリズム１３および接眼レンズ１４を通過して撮影者の目に到達する。また、拡散スクリーン１１によって拡散された光束の一部はコンデンサレンズ１２およびペンタプリズム１３および再結像レンズ１５を通過して第２撮像センサ１６に到達する。
【００１７】
ＡＦ補助光発生部３０は、被写体輝度が低い場合に光被写体に補助光を照射し、その反射光を撮像部で撮像することによってＡＦ（オートフォーカス）の精度を上げるためのものである。本実施形態でＡＦ補助光発生部３０は、例えば、赤色の光（例えば赤外線）を発生する。
【００１８】
図２は、実施形態のカメラ１００の機能ブロック図である。図２に示すように、カメラ１００は、図１の構成に加えて、タイミングジェネレータ２０、信号処理部２１、Ａ／Ｄ変換部２２、バッファメモリ２３、バス２４、カードインターフェース２５、圧縮伸長部２６、画像表示部２７の各部を備える。タイミングジェネレータ２０は、第１撮像センサ９に出力パルスを供給する。また、第１撮像センサ９で生成される画像データは、信号処理部２１（撮像感度に対応するゲイン調整部を含む）およびＡ／Ｄ変換部２２を介して、バッファメモリ２３に一時記憶される。バッファメモリ２３は、バス２４に接続される。このバス２４には、カードインターフェース２５、図１で説明した制御部１０、圧縮伸長部２６、および画像表示部２７が接続される。カードインターフェース２５は、着脱自在なメモリカード２８と接続し、メモリカード２８に画像データを記録する。
【００１９】
制御部１０には、カメラ１００のスイッチ群２９（不図示のレリーズ釦などを含む）、タイミングジェネレータ２０、および第２撮像センサ１６が接続される。さらに、画像表示部２７は、カメラ１００の背面に設けられた表示ユニット１９に画像などを表示する。
【００２０】
次に、本実施形態のカメラ１００の動作について説明する。図３はＡＦ用露出制御における制御部１０の動作を示すフローチャートである。
まず、カメラ１００のスイッチがオンにされると、メインミラー５及びサブミラー６は、図１における実線の位置で、被写体光はメインミラー５で反射されて拡散スクリーン１１，コンデンサレンズ１２、ペンタプリズム１３、再結合レンズ１５を通って第２撮像センサ１６に導かれる。
また、被写体光はメインミラー５で反射されて拡散スクリーン１１，コンデンサレンズ１２、ペンタプリズム１３を通った後、接眼レンズ１４に導かれた光は、ファインダにおいて観察可能となる。
【００２１】
次に、図３は、ＡＦの際の露出制御のフローチャートである。図示しないレリーズボタンが半押しされると（ステップＳ０１）、制御部１０は、第２撮像センサ１６からの信号をもとに、被写体がＡＦを行うために十分な輝度であるかを判断する（ステップＳ０２）。
ここで、被写体が十分な露出である場合は（ステップＳ０２，ＹＥＳ）、ステップＳ０７に進む。
【００２２】
制御部１０は、例えば、人物の被写体が逆光で暗い場合など、被写体の輝度がＡＦを行うために不十分であると判断した場合（ステップＳ０２，ＮＯ）、補助光発生部３０からＡＦ補助光を発光させる（ステップＳ０３）。
被写体にはＡＦ補助光が照射されるが、このとき、ＡＦ補助光の光源波長によって、被写体の色は、環境光の下の実際の色とは異なる色となる。例えば、ＡＦ補助光が赤色の光の場合、被写体からレンズユニット２に入射する光は赤みがかった光となる。
この入射光はメインミラー５により反射され第２撮像センサ１６よって測光される（ステップＳ１６）。
【００２３】
制御部１０において、第２撮像センサ１６で測光された測光情報より、被写体の輝度Ｙ１が計算される。しかし、ＡＦ補助光が発光されている場合は、上述のように、ＡＦ補助光の光源波によって実際の被写体と色のバランスが異なる。したがって、Ｙ１をもとに露出制御を行うと、ＡＦに対する適正な輝度とならない場合がある。このため、輝度Ｙ１を、ＡＦ補助光の種類に応じて補正する必要がある。
【００２４】
ここで、輝度Ｙは、例えば、次式で表される。
Ｙ＝０．３＊Ｒ＋０．６＊Ｇ＋０．１＊Ｂ            （式１）
Ｒ，Ｇ，Ｂはそれぞれ赤色、緑色、青色の強度である。
この式に基づく計算上において、Ｒ（赤色）の係数はＧ（緑色）と比べて小さいため、Ｒが支配的な場合は、輝度Ｙが低めとなる。この輝度を基に露出制御すると、適正露出よりも明るくなる可能性がある。
このため、ＡＦ補助光の色に応じてＹ１を補正して補正後の輝度Ｙ２を求める。この補正量は、補助光の色のバランスや、強度によって異なるものであるが、予め測定されて求められてメモリに記憶されている。
【００２５】
次に、この補正後の輝度Ｙ２を基に、制御部１０はＡＦ用の露出制御を行う（ステップＳ０６）。
次いで、ＡＦ用に適正な露出値の画像がレンズユニット２より入射されて、メインミラー５を通ってサブミラー６で反射され、焦点検出ユニット７により合焦状態が検出される。制御部１０は、その合焦状態に応じてレンズ３（合焦レンズ）を駆動し（ステップＳ０８）、レリーズボタンの全押しが検出される（ステップＳ０９）、撮影を行う（ステップＳ１０）。
【００２６】
以上、本実施形態によると、ＡＦ補助光の色に応じて補正した輝度Ｙ２により、ＡＦ用の露出制御を行うので、ＡＦ補助光の種類によらず、適正な露出制御を行うことができ、制度の良いＡＦを行うことが出来る。
【００２７】
（変形形態）
以上、説明した実施形態に限定されることなく、以下に示すような種々の変形や変更が可能であり、それらも本発明の範囲内である。
本実施形態では、レンズ着脱式カメラについて説明したが、これに限らず、レンズが着脱できない、いわゆるコンパクトカメラであっても良い。また、実施形態ではレンズ着脱式カメラのミラーダウンした状態について説明したが、ミラーアップしてスルー画を観察する場合であっても良い。
なお、実施形態及び変形形態は、適宜組み合わせて用いることもできるが、詳細な説明は省略する。また、本発明は以上説明した実施形態によって限定されることはない。
【符号の説明】
【００２８】
９：第１撮像センサ、１６：第２撮像センサ、３０：補助光発生部、１００：カメラ
【図１】
2013061545.tif 000003
【図２】
2013061545.tif 000004
【図３】
2013061545.tif 000005